(57)【特許請求の範囲】
【請求項１】
洗面器，シンク等水槽の底部開口に挿入されて該水槽の排水口を構成する筒状の排水口部材の雄ねじ部に対して、該水槽の裏面から締付ナットを締め込んで該排水口部材を該水槽底部に固定するとともに、該水槽の下方において該排水口部材に対し排水管トラップを接続して成る排水装置において
前記締付ナットと前記排水管トラップとを管軸方向に水密に且つ該管軸周りに相対回転可能に嵌合させるとともに、それら締付ナットと排水管トラップとの一方に弾性係合爪を、他方に該弾性係合爪を該管軸周りに相対回転可能に係合させる被係合部を形成し、それら弾性係合爪と被係合部との係合により、該締付ナットと排水管トラップとを接続固定したことを特徴とする排水装置。
【請求項２】
請求項１において、前記締付ナットには下向きの環状溝が形成される一方、前記排水管トラップの上端部には上向きの環状突部が形成され、該環状突部が該環状溝にシール部材を介して水密に嵌合されていることを特徴とする排水装置。
【請求項３】
請求項１，２の何れかにおいて、前記締付ナットの側に、先端に内向きの係止突起を有する前記弾性係合爪が設けられる一方、前記排水管トラップの上端部外周面には該係止突起を係入させる、周方向に連続した溝状の被係合部が形成され、且つ該弾性係合爪は周方向に所定間隔を隔てて断続的に複数個形成されているとともに、該締付ナットには、それら弾性係合爪の間の位置において該排水管トラップの上端部外周面に当接嵌合するスカート状部が形成されていることを特徴とする排水装置。
【請求項４】
請求項１，２の何れかにおいて、前記締付ナットの側に、先端に内向きの係止突起を有する前記弾性係合爪が設けられる一方、前記排水管トラップの上端部外周面には、該係止突起を係入させる周方向に連続した溝状の被係合部が形成され、且つ該弾性係合爪は、該弾性係合爪に弾性変形を与えるための切れ目を除いて該締付ナットの全周に亘って実質上連続的に形成されていることを特徴とする排水装置。
【請求項５】
請求項２〜４の何れかにおいて、前記排水管トラップの外周面には、周方向に環状をなす突出状の鍔状部が形成されていて、該鍔状部の外周面に前記溝状の被係合部が形成されていることを特徴とする排水装置。
【請求項６】
洗面器，シンク等水槽の底部開口に挿入されて該水槽の排水口を構成する筒状の排水口部材の雄ねじ部に対して、該水槽の裏面から締付ナットを締め込んで該排水口部材を該水槽底部に固定するとともに、該水槽の下方において該排水口部材に対し排水管トラップを接続して成る排水装置において
前記締付ナットには下向きの環状溝を形成する一方、前記排水管トラップの上端部には上向きの環状突部を形成し、該環状突部を該環状溝にシール部材を介して相対回転可能に水密に嵌合させ、該環状突部の外周面には管軸方向の所定位置に下向きの段付面を形成して係合面となす一方、前記締付ナットには該係合面に対応する位置において前記環状溝の外側部分を内外方向に貫通する嵌込溝を形成し、該嵌込溝を通じてリング状をなす抜止部材を挿入して前記係合面に係合させ、前記排水管トラップの上端部を抜止めするようになしたことを特徴とする排水装置。
【請求項７】
請求項６において、前記抜止部材を弾性材にて形成し、その弾性力に基づいて該抜止部材を脱着可能となしたことを特徴とする排水装置。
【発明の詳細な説明】
【０００１】
【発明の属する技術分野】
この発明は洗面器やシンク等水槽の底部からの排水を行う排水装置に関し、詳しくは排水管トラップを備えたものに関する。
【０００２】
【従来の技術】
従来、キッチンの流し台や洗面化粧台における排水装置は、洗面器，シンク等水槽の底部開口に挿入されて水槽の排水口を構成する筒状の排水口部材に対して、Ｓ字状に回曲した形態の排水管トラップを接続した構造とされていた。
【０００３】
図１２は洗面化粧台における排水装置の従来の一例を示したものである。
同図において２００は洗面化粧台における洗面器であって底部に開口が形成され、その開口に、図１３に示しているように上端にフランジ２０２を有する円筒形状の排水口金具（排水口部材）２０４が上側から下向きに挿入されている。
【０００４】
この排水口金具２０４は下端部外周面に雄ねじ部２０６を有し、その雄ねじ部２０６に対して、洗面器２００の下側において締付ナット２０８がねじ込まれている。そしてその締付ナット２０８の締付力によって、排水口金具２０４がパッキン２１０を介して洗面器２００の底部に水密に固定されている。
【０００５】
この排水口金具２０４の下側には、接続管２１２が袋ナット２１４にて連結されており、その接続管２１２に対して、Ｓ字状に回曲した形態の排水管トラップ２１６の上端部が袋ナット２１７にて連結されている。
【０００６】
即ちこの例において、排水管トラップ２１６は接続管２１２を介してその上端部が排水口金具２０４に接続されている。
尚排水管トラップ２１６は、底部のディップ部２１６Ａ，これより上向きに延び出す流出脚２１６Ｂ，溢れ部となるウエア部２１６Ｃとを有している。そしてそのウエア部２１６Ｃに続いて排水管２１８が下向きに延び出している。
【０００７】
【発明が解決しようとする課題】
しかしながら上記従来の排水装置の場合、部品点数が多く、従ってまたその取付施工に当って狭いキャビネット２２０内部で多数の部品の接続作業が必要で、取付施工に多大の手間を要するといった問題があった。
【０００８】
加えて従来の排水装置の場合、排水管トラップ２１６の接続作業に当って、排水管２１８の端部を予め床などに施してある外部配管の位置に合わせ、その状態で排水管トラップ２１６を接続するといった作業が難しく且つ面倒であるといった問題があった。
【０００９】
具体的には、従来の排水装置の場合、予め施してある外部配管に対して、排水管２１８の端部位置が合うように排水管トラップ２１６の回転方向位置、つまり排水口金具２０４の管軸周りの位置を定め、そのような位置出しを行った上で、袋ナット２１４，２１７のねじ込みによる排水管トラップ２１６の接続を行うこととなるが、このような位置出しを行った上で袋ナット２１４，２１７の締込みによる固定を行っても、いざ排水管２１８端部を外部配管につなぎ合わせようとしたときに両者の位置がずれている場合があり、この場合上記従来の排水装置の場合には、一旦袋ナット２１４，２１７を緩めて、排水管トラップ２１６の回転方向位置を微調整し、その後において再び袋ナット２１４，２１７の締込作業を行わなければならないなど、排水管トラップ２１６の接続作業に非常な面倒を伴っていた。
また袋ナット２１４，２１７の締込作業自体も面倒なものであった。
【００１０】
【課題を解決するための手段】
本願の発明の排水装置はこのような課題を解決するために案出されたものである。
而して請求項１の排水装置は、洗面器，シンク等水槽の底部開口に挿入されて該水槽の排水口を構成する筒状の排水口部材の雄ねじ部に対して、該水槽の裏面から締付ナットを締め込んで該排水口部材を該水槽底部に固定するとともに、該水槽の下方において該排水口部材に対し排水管トラップを接続して成る排水装置において、前記締付ナットと前記排水管トラップとを管軸方向に水密に且つ該管軸周りに相対回転可能に嵌合させるとともに、それら締付ナットと排水管トラップとの一方に弾性係合爪を、他方に該弾性係合爪を該管軸周りに相対回転可能に係合させる被係合部を形成し、それら弾性係合爪と被係合部との係合により、該締付ナットと排水管トラップとを接続固定したことを特徴とする。
【００１１】
請求項２の排水装置は、請求項１において、前記締付ナットには下向きの環状溝が形成される一方、前記排水管トラップの上端部には上向きの環状突部が形成され、該環状突部が該環状溝にシール部材を介して水密に嵌合されていることを特徴とする。
【００１２】
請求項３の排水装置は、請求項１，２の何れかにおいて、前記締付ナットの側に、先端に内向きの係止突起を有する前記弾性係合爪が設けられる一方、前記排水管トラップの上端部外周面には該係止突起を係入させる、周方向に連続した溝状の被係合部が形成され、且つ該弾性係合爪は周方向に所定間隔を隔てて断続的に複数個形成されているとともに、該締付ナットには、それら弾性係合爪の間の位置において該排水管トラップの上端部外周面に当接嵌合するスカート状部が形成されていることを特徴とする。
【００１３】
請求項４の排水装置は、請求項１，２の何れかにおいて、前記締付ナットの側に、先端に内向きの係止突起を有する前記弾性係合爪が設けられる一方、前記排水管トラップの上端部外周面には、該係止突起を係入させる周方向に連続した溝状の被係合部が形成され、且つ該弾性係合爪は、該弾性係合爪に弾性変形を与えるための切れ目を除いて該締付ナットの全周に亘って実質上連続的に形成されていることを特徴とする。
【００１４】
請求項５の排水装置は、請求項２〜４の何れかにおいて、前記排水管トラップの外周面には、周方向に環状をなす突出状の鍔状部が形成されていて、該鍔状部の外周面に前記溝状の被係合部が形成されていることを特徴とする。
【００１５】
請求項６の排水装置は、洗面器，シンク等水槽の底部開口に挿入されて該水槽の排水口を構成する筒状の排水口部材の雄ねじ部に対して、該水槽の裏面から締付ナットを締め込んで該排水口部材を該水槽底部に固定するとともに、該水槽の下方において該排水口部材に対し排水管トラップを接続して成る排水装置において、前記締付ナットには下向きの環状溝を形成する一方、前記排水管トラップの上端部には上向きの環状突部を形成し、該環状突部を該環状溝にシール部材を介して相対回転可能に水密に嵌合させ、該環状突部の外周面には管軸方向の所定位置に下向きの段付面を形成して係合面となす一方、前記締付ナットには該係合面に対応する位置において前記環状溝の外側部分を内外方向に貫通する嵌込溝を形成し、該嵌込溝を通じてリング状をなす抜止部材を挿入して前記係合面に係合させ、前記排水管トラップの上端部を抜止めするようになしたことを特徴とする。
【００１６】
請求項７の排水装置は、請求項６において、前記抜止部材を弾性材にて形成し、その弾性力に基づいて該抜止部材を脱着可能となしたことを特徴とする。
【００１７】
【作用及び発明の効果】
上記のように請求項１の排水装置は、締付ナットと排水管トラップとを相対回転可能に水密に嵌合させ、そしてそれらの一方に弾性係合爪を、他方に被係合部を形成して、それら弾性係合爪と被係合部とを係合させ、以て締付ナットと排水管トラップとを接続固定するようになしたもので、この排水装置の場合、締付ナットと排水管トラップとの接続は弾性係合爪と被係合部との係合に基づいてなされており、排水管トラップは接続固定状態の下で排水口部材の管軸周りに回転可能である。
【００１８】
従ってこの排水装置の場合、排水管トラップを排水口部材に対して接続する前に予め排水管トラップの回転方向位置、つまり排水管トラップに続く排水管を外部配管の位置に合わせるための排水口部材の管軸周りの回転方向位置を正確に位置出ししておかなくてもよく、排水管トラップを排水口部材に接続した後に排水管トラップを相対回転させることで、排水管の端部の位置を外部配管の位置に正確に容易に合わせることができる。
【００１９】
加えて請求項１の排水装置の場合、弾性係合爪を被係合部に対して弾性係合させることで排水管トラップをワンタッチで接続固定できるため、この請求項１の排水装置によれば、排水管トラップの接続作業を含む排水装置の取付施工を極めて簡単に行うことができるようになる。
【００２０】
更にこの排水装置は、従来必要とされていた図１３の接続管２１２を不要化でき、従って排水装置のための必要な部品点数を削減でき、またそれら部品を連結するための連結作業を削減することができる。これにより排水装置の取付施工を更に簡略化することができる。
【００２１】
またこの排水装置の場合、接続管２１２を不要化できることに加えて水槽底部の厚みの変化に応じて排水口部材に対する螺合位置を上下に変化することのできる締付ナットに対して排水管トラップを直接接続固定するようにしていることから、排水管トラップの位置を上方に持ち来すことができるとともに、水槽底部の厚みが薄い場合にはその厚みの薄い分だけ更に排水管トラップを上側にシフトさせることができる利点がある。
【００２２】
請求項２の排水装置は、締付ナットに下向きの環状溝を形成してそこに排水管トラップ上端部の上向きの環状突部をシール部材を介して水密に回転可能に嵌合させるようになしたもので、このようにすることによって締付ナットと排水管トラップ上端部とを容易に組み付けるができる。
【００２３】
上記請求項１，２の排水装置においては、締付ナットの側に弾性係合爪を設ける一方、排水管トラップの上端部外周面に溝状の被係合部を形成し、そこに弾性係合爪を係合させるようになすことができる。
この場合においてその弾性係合爪を周方向に所定間隔を隔てて断続的に複数個形成することができる。但しこのようにそれら弾性係合爪を周方向に所定間隔を隔てて断続的に複数個形成した場合、排水管トラップ上端部と締付ナットとの接続固定強度が不十分となる恐れがある。
【００２４】
ここにおいて請求項３の排水装置では、それら弾性係合爪の間においてスカート状部を設け、そのスカート状部を、排水管トラップの上端部外周面に当接嵌合するようになしたもので、このようにすれば、比較的少ない弾性係合爪によって排水管トラップを接続固定した場合にも十分な接続固定強度を得ることができる。
【００２５】
次に請求項４の排水装置は、上記弾性係合爪を周方向に所定間隔で断続的に設ける代わりに、弾性係合爪に対して弾性変形を与えるための切れ目を除いて実質上周方向に連続的にかかる弾性係合爪を形成したもので、この排水装置の場合、弾性係合爪が周方向に沿って実質上連続的に環状に設けられているため、その弾性係合爪による係合に基づいて、排水管トラップ上端部を十分な強度で接続固定することができる。
【００２６】
本発明においては、排水管トラップの外周面に突出状の鍔状部を周方向に連続的に形成し、その鍔状部外周面に溝状の被係合部を形成して、そこに弾性係合爪を係合させるようになすことができる（請求項５）。
【００２７】
請求項６の排水装置は、上記締付ナットと排水管トラップとを管軸方向に水密に且つ管軸周りに相対回転可能に嵌合させた上、それら締付ナットと排水管トラップ上端部とに対して管軸方向に係合する抜止部材を、それら締付ナット及び排水管トラップ上端部にまたがって装着し、以て排水管トラップ上端部の抜けを防止するようになしたもので、この装置においては、上記弾性係合爪と被係合部との弾性係合力に基づく接続固定に比べて、締付ナットと排水管トラップ上端部とを更に強固に接続固定することができる。
【００２８】
この請求項６の排水装置においては、上記締付ナットに下向きの環状溝を、また排水管トラップ上端部に上向きの環状突部をそれぞれ形成して互いに相対回転可能に水密に嵌合させた上、締付ナットに形成した嵌込溝を通じてリング状をなす抜止部材を挿入し、環状突部の外周面に形成した段付面形状の係合面に係合させて排水管トラップ上端部を抜止めするようになしており、このようにすることで、容易に抜止部材を用いて排水管トラップを締付ナットから抜止めすることができる。
【００２９】
更にこの場合において上記抜止部材を弾性材にて形成し、その弾性力に基づいて脱着可能となすことができる（請求項７）。このようにすれば、排水管トラップを取り外す必要が生じたときに簡単に取外しができ、また締付ナットに対して簡単に接続固定することができる。
【００３０】
【実施例】
次に本発明の実施例を図面に基づいて詳しく説明する。
図１において１０は洗面化粧台で、１２は洗面器、１６は洗面器１２下部のキャビネットであり、１８は蹴込部である。
２０はキャビネット１６における底板であり、２２はその背板、２４は開閉可能な扉である。
【００３１】
図２は洗面器１２からの排水を外部に排出するための排水装置の要部構造を示したものである。
図２に示しているように、洗面器１２の底部には開口２６が形成されており、その開口２６に、円筒形状の排水口金具（排水口部材）２８が上側から下向きに挿入されている。
【００３２】
排水口金具２８は上端にフランジ部３０を有しており、そのフランジ部３０が、洗面器１２底部に形成されたテーパ面３２に当接させられている。
【００３３】
排水口金具２８は、下端部外周面に雄ねじ部３４を有し、その雄ねじ部３４に対して締付ナット３６がねじ込まれている。そしてその締付ナット３６の締付力に基づいて、排水口金具２８がパッキン３８，４０を介して洗面器１２底部に水密に固定されている。
尚、図中４１はスリップワッシャである。
【００３４】
排水口金具２８は、洗面器１２底部における排水口を構成するもので、上端に排水口を開閉するための栓体４２が装着されるようになっており、また栓体４２の直下において、周壁部には流入口４４が形成されている。この流入口４４は、洗面器１２の上端部のオーバーフロー孔よりオーバーフローした水を排水口金具２８内部に流入させるためのものである。
【００３５】
図２において、４６は排水管トラップであって、この排水管トラップ４６は、流入脚４８と、底部のディップ部５０と、これから立ち上がる流出脚５２，溢れ部となるウエア部５４とを有しており、そのウエア部５４に続いて排水管５６が下向きに立ち下がっている。
この排水管５６は、キャビネット１６における底板２０を貫通して、予め床に埋込配管されている外部配管に連絡されている。
【００３６】
尚、図中５８は一体のトラップ本体をなすもので、このトラップ本体５８に流入脚４８，ディップ部５０及び流出脚５２の一部が形成されている。
【００３７】
６０は排水管５６を一体に有する管体で、流出脚５２の他部及びウエア部５４がこの管体６０側に形成されている。そしてこの管体６０の断面円形の端部が、トラップ本体５８の対応する円形の端部内面に嵌入された上、トラップ本体５８の端部外周面に形成された雄ねじ部６２に対する袋ナット６４のねじ込みにより、かかる管体６０の端部とトラップ本体５８の端部とが、互いにパッキン６６を介して水密に回転可能に連結されている。
【００３８】
排水管トラップ４６における上記流入脚４８は、図５（Ａ）に示しているように横断面形状が大径の円形状とされており、また同図（Ｃ）に示しているように流出脚５２も同様に横断面形状が円形且つ流入脚４８のそれよりも小径とされている。
【００３９】
一方ディップ部５０は、図３に示しているようにその全体が水平方向に直状形態とされており、且つその横断面形状が、図５（Ｂ）に示しているように横長扁平形状の断面矩形状をなしている。
【００４０】
即ち本例において、ディップ部５０はそのほぼ全体が直状部とされているのであり、且つその上面と下面が平坦面とされている。更にまたディップ部５０は、大径の流入脚４８から小径の流出脚５２に向かって、その幅寸法が漸次小となる形状とされている。
尚、図２において６８は水抜口であり、キャップ７０によって通常は閉鎖されている。
【００４１】
上記締付ナット３６は、軸方向全長に亘ってその内周面に雌ねじ部７２が形成されており、この雌ねじ部７２が、排水口金具２８の雄ねじ部３４に螺合されている。
【００４２】
この締付ナット３６は、排水口金具２８を取り囲む形態の下向きに開口した環状溝７４を有している。
一方排水管トラップ４６の上端部には、対応する上向きの環状突部７６が備えられており、この環状突部７６が環状溝７４に相対回転可能且つシール部材としてのパッキン（Ｏリング）７８を介して水密に嵌合されている。
【００４３】
締付ナット３６は樹脂製の部材であって、下端に弾性係合爪８０が一体に形成されている。ここで弾性係合爪８０は全周に亘って実質上連続的に形成されている。
【００４４】
詳しくは、図３及び図４に示しているように、弾性係合爪８０の内外方向の弾性変形能を高めるために周方向所定間隔毎に形成された切れ目８２を除いて実質上全周に亘り連続的に環状に弾性係合爪８０が形成されている。
【００４５】
一方排水管トラップ４６の上端部外周面上には、周方向に連続した環状をなす突出状の鍔状部８４が一体に形成されており、その鍔状部８４の外周面に、同じく周方向に連続した環状をなす溝状の被係合部８６が形成されている。
そしてその溝状の被係合部８６に対して締付ナット３６の弾性係合爪８０が、詳しくはその弾性係合爪８０の下端の内向きの係止突起８８が係合させられ、その係合力に基づいて、排水管トラップ４６の上端部が締付ナット３６に、つまり排水口金具２８に接続固定されている。
【００４６】
以上のように本例の排水装置では、排水口金具２８と排水管トラップ４６との接続が弾性係合爪８０と被係合部８６との弾性係合に基づいてなされており、排水管トラップ４６は接続固定状態の下で排水口金具２８の管軸周りに回転可能である。
【００４７】
従ってこの排水装置の場合、排水管トラップ４６を排水口金具２８に対して接続する前に予め排水管トラップ４６の回転方向位置、つまり排水管トラップ４６に続く排水管５６を外部配管の位置に合わせるための排水口金具２８の管軸周りの回転方向位置を正確に位置出ししておかなくても良く、排水管トラップ４６を排水口金具２８に接続した後において、排水管トラップ４６を相対回転させることで、排水管５６の端部の位置を外部配管の位置に正確に容易に合わせることができる。
【００４８】
加えて本例の排水装置の場合、弾性係合爪８０を被係合部８６に対して弾性係合させるだけで排水管トラップ４６をワンタッチで接続固定できるため、排水管トラップ４６の接続作業を含む排水装置の取付施工を極めて簡単に行うことができる。
【００４９】
また本例の排水装置は、締付ナット３６を排水管トラップ４６との直接接続部材とし、その締付ナット３６に下向きの環状溝７４を形成して、そこに排水管トラップ４６上端部の上向きの環状突部７６をパッキン７８を介して水密に回転可能に嵌合させ、同時に排水管トラップ４６上端部を締付ナット３６に接続するようにしているため、従来必要とされていた図１２の接続管２１２を不要化することができる。
【００５０】
従って排水装置のための必要な部品点数を削減でき、またそれら部品を連結するための連結作業を削減することができる。これにより排水装置の取付施工を更に簡略化することができる。
【００５１】
またこの排水装置の場合、弾性係合爪８０が周方向に沿って実質上連続的に環状に設けられているため、その弾性係合爪８０による係合に基づいて、排水管トラップ４６上端部を十分な強度で接続固定することができる。
【００５２】
図６は本発明の他の実施例において用いられる締付ナット９０を示したもので、この締付ナット９０の場合、弾性係合爪８０が周方向に所定間隔毎に不連続状で断続的に複数個（この例では９０°毎に４個）形成されている。そしてそれら弾性係合爪８０の間において、排水管トラップ４６の上端部外周面、詳しくは鍔状部８４の外周面に当接嵌合する円弧状のスカート状部９２が一体に形成されている。
【００５３】
図６に示す締付ナット９０は、基本的に上記実施例の締付ナット３６と同様の働きをなすものである。即ちこの締付ナット９０は、排水口金具２８の下端部外周面の雄ねじ部３４にねじ込まれて排水口金具２８を洗面器１２底部に固定するとともに、下端の弾性係合爪８０を排水管トラップ４６の上端部外周面の溝状の被係合部８６に弾性的に係合させて、排水管トラップ４６の上端部を排水口金具２８に接続固定する。
【００５４】
本例の排水装置では、弾性係合爪８０の間にスカート状部９２を設けてそのスカート状部９２を排水管トラップ４６の鍔状部８４の外周面に当接嵌合するようしているため、少ない弾性係合爪８０によって排水管トラップ４６を接続固定した場合にも十分な接続固定強度を得ることができる。
【００５５】
図７は本発明の更に他の実施例である排水装置を示している。
この実施例において用いられる締付ナット９４には、図８及び図９（Ｂ）に示しているように環状溝７４の外側部分を内外方向に貫通する一対の円弧形状の嵌込溝９８が形成されている。
【００５６】
一方排水管トラップ４６、詳しくは排水管トラップ４６の環状突部７６の外周面には、管軸方向（図８中上下方向）の所定位置に下向きの段付面が全周に亘って形成されている。本例においてはこの下向きの段付面が係合面９６とされている。
【００５７】
そしてそれら排水管トラップ４６と締付ナット９４とは、排水管トラップ４６の環状突部７６が締付ナット９４の環状溝７４に相対回転可能且つパッキン７８を介して水密に嵌合された上、抜止部材としての樹脂製の弾性Ｃリング１００によって抜け止めされている。
【００５８】
ここで弾性Ｃリング１００は、締付ナット９４と排水管トラップ４６の環状突部７６とにまたがって装着されており、その内周側上面において係合面９６に対して上向きに係合するとともに、それよりも外周側において嵌込溝９８の上下面に対して係合し、以て排水管トラップ４６の締付ナット９４からの抜けを防止している。
【００５９】
本例において、弾性Ｃリング１００を装着する場合、図９（Ａ）に示しているように弾性Ｃリング１００を、その開口１０２を通じて締付ナット９４の嵌込溝９８に弾性変形させつつ嵌め込む。このとき弾性Ｃリング１００は、内周側の上面を排水管トラップ４６の側の係合面９６に係合させ、更にその外周側の部分を嵌込溝９８の上下面に係合させた状態となる。即ち締付ナット９４と排水管トラップ４６の環状突部７６とにまたがって装着された状態となる。
【００６０】
以上のように本例においては、弾性Ｃリング１００を締付ナット９４と排水管トラップ４６の環状突部７６とにまたがって装着することで環状突部７６の抜けを防止しているため、図２或いは図６に示す実施例における接続固定、つまり弾性係合爪８０と被係合部８６との弾性係合力に基づく接続固定に比べて、締付ナット９４と排水管トラップ４６の環状突部７６とを更に強固に接続固定することができ、以て排水管トラップ４６の抜けをより確実に防止することができる。
【００６１】
図１０及び図１１は本発明の更に他の実施例を示している。
この例では、環状突部７６の外周面の管軸方向（図１０中上下方向）の所定位置に環状溝１０４が形成されており、この環状溝１０４によって下向きの段付面、つまり係合面９６が形成されている。
【００６２】
そして本例においては、上記環状溝１０４に対し締付ナット９４の嵌込溝９８を通じて弾性Ｃリング１００が嵌め込まれている。
即ち、本例においても弾性Ｃリング１００が締付ナット９４と排水管トラップ４６の環状突部７６とにまたがって装着されており、これによって環状突部７６の抜けが防止されている。
尚、その他の構成については図７ないし図９の実施例と同じであるので説明を省略する。
【００６３】
以上本発明の実施例を詳述したがこれらはあくまで一例示であり、本発明はその主旨を逸脱しない範囲において種々変更を加えた形態で構成可能である。
【図面の簡単な説明】
【図１】  本発明の一実施例である排水装置を含む洗面化粧台を、キャビネットを一部切り欠いてその内部を示す図である。
【図２】  図１における排水装置の構造を具体的に示した図である。
【図３】  図２の排水装置を外観状態で示す斜視図である。
【図４】  図２の排水装置を各部材に分解して示す分解斜視図である。
【図５】  図２における排水管トラップのディップ部の各部の横断面形状を示す図である。
【図６】  本発明の他の実施例の締付ナットの要部拡大図である。
【図７】  本発明の更に他の実施例である排水装置を外観状態で示す斜視図である。
【図８】  図７の排水装置の構造を具体的に示す図である。
【図９】  図７の排水装置を各部材に分解して示す分解斜視図である。
【図１０】  本発明の更に他の実施例を示す図である。
【図１１】  図１０の排水装置を各部材に分解して示す分解斜視図である。
【図１２】  洗面化粧台に備えられた従来の排水装置を洗面化粧台とともに示す図である。
【図１３】  図１２の排水装置の具体的構造を拡大して示す図である。
【符号の説明】
１２  洗面器
２８  排水口金具（排水口部材）
３４  雄ねじ部
３６，９０，９４  締付ナット
４６  排水管トラップ
７４  環状溝
７６  環状突部
７８  パッキン（シール部材）
８０  弾性係合爪
８２  切れ目
８４  鍔状部
８６  被係合部
８８  係止突起
９２  スカート状部
９６  係合面（段付面）
９８  嵌込溝
１００  弾性Ｃリング（抜止部材）
【図１】
0003689233.tif 000002
【図２】
0003689233.tif 000003
【図３】
0003689233.tif 000004
【図４】
0003689233.tif 000005
【図５】
0003689233.tif 000006
【図６】
0003689233.tif 000007
【図７】
0003689233.tif 000008
【図８】
0003689233.tif 000009
【図９】
0003689233.tif 000010
【図１０】
0003689233.tif 000011
【図１１】
0003689233.tif 000012
【図１２】
0003689233.tif 000013
【図１３】
0003689233.tif 000014